(57)【要約】  ＨＥＭＳコントローラ（１００）において、記憶部は、ユーザから入力された時刻とユーザとを対応付ける複数のスケジュールを記憶する。判別部は、スケジュールによって示されるユーザに対応付けられる機器（１６０Ａ，１６０Ｂ，１６０Ｃ，１６０Ｄ）を判別する。制御部は、スケジュールに対応付けられる時刻に、判別された機器を制御する。余剰電力が発生すると、制御部は、記憶部に記憶されているスケジュールのうち、時刻を早めることが許可された許可グループに分類されるスケジュールの時刻を早め、判別された機器の制御を早められた時刻において機器に開始させる。
2015072029.tif 000002
【特許請求の範囲】
【請求項１】
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記時刻を早めることが許可された許可グループに分類されるスケジュールの時刻を早め、前記判別された機器の制御を前記早められた時刻において前記機器に開始させる、
コントローラ。
【請求項２】
前記記憶部は、前記機器による消費電力の特性を示すデータを更に記憶し、
前記制御部は、前記余剰電力が発生すると、前記判別された機器による消費電力の特性に基づいて、前記時刻を早めるスケジュールを決定する、
請求項１に記載のコントローラ。
【請求項３】
前記制御部は、前記余剰電力が発生すると、前記機器による消費電力の特性に基づいて、前記スケジュールの優先度を計算し、前記スケジュールのうち前記優先度が最も高いスケジュールの時刻を早める、
請求項２に記載のコントローラ。
【請求項４】
前記制御部は、前記余剰電力が発生すると、前記機器を制御することにより得られる環境への効果の持続度に基づいて、前記スケジュールの優先度を計算し、前記スケジュールのうち前記優先度が最も高いスケジュールの時刻を早める、
請求項１に記載のコントローラ。
【請求項５】
前記制御部は、前記余剰電力が発生すると、前記スケジュールが開始される時刻から終了される時刻までの時間の長さと、前記スケジュールに対応付けられるユーザの数と、前記判別された機器の数と、のうち少なくともいずれか一つに基づいて、前記スケジュールの優先度を計算し、前記スケジュールのうち前記優先度が最も高いスケジュールの時刻を早める、
請求項１に記載のコントローラ。
【請求項６】
前記制御部は、前記余剰電力が発生すると、前記余剰電力が発生した時刻から前記スケジュールが開始される時刻までの時間の長さに基づいて、前記スケジュールの優先度を計算し、前記スケジュールのうち前記優先度が最も高いスケジュールの時刻を早める、
請求項１に記載のコントローラ。
【請求項７】
前記機器の動作のモードは複数あり、
前記特性は、第１のモードから第２のモードへ移行する際の消費電力量の推移を表し、
前記制御部は、前記余剰電力が発生すると、前記余剰電力の量と、前記特性が示す消費電力量の推移と、に基づいて、前記スケジュールの優先度を計算し、前記スケジュールのうち前記優先度が最も高いスケジュールの時刻を早める、
請求項１に記載のコントローラ。
【請求項８】
前記制御部は、前記余剰電力が発生すると、前記余剰電力の発生の継続時間を推測し、前記推測された継続時間が閾値より大きい場合に、前記許可グループに分類されるスケジュールの時刻を早める、
請求項１に記載のコントローラ。
【請求項９】
前記制御部は、前記余剰電力が発生すると、前記機器の過去の動作履歴に基づいて、前記ユーザの嗜好を推測し、前記推測された嗜好に基づいて、前記許可グループに分類されるスケジュールの時刻を早める、
請求項１に記載のコントローラ。
【請求項１０】
前記制御部は、前記余剰電力が発生すると、前記ユーザから入力された前記機器の設定値と、前記余剰電力が発生したときにおける前記機器の設定値と、の比較結果に基づいて、前記許可グループに分類されるスケジュールの時刻を早める、
請求項１に記載のコントローラ。
【請求項１１】
コントローラと複数の機器とを有するエネルギーマネジメントシステムであって、
ユーザと前記ユーザから入力された時刻とを対応付ける複数のスケジュールを記憶する記憶部と、
前記複数の機器の中から、前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記時刻を早めることが許可された許可グループに分類されるスケジュールの時刻を早め、前記判別された機器の制御を前記早められた時刻において前記機器に開始させる、
エネルギーマネジメントシステム。
【請求項１２】
ユーザから入力された時刻と動作とを対応付ける複数のスケジュールを記憶する記憶部と、
前記スケジュールに対応付けられる時刻に、前記スケジュールに対応付けられる動作を制御する制御部と、
を備え、
前記制御部は、余剰電力が発生すると、前記記憶されているスケジュールのうち、前記時刻を早めることが許可された許可グループに分類されるスケジュールの時刻を早め、前記動作の制御を前記早められた時刻において開始する、
電力機器。
【請求項１３】
ユーザと前記ユーザから入力された時刻とを対応付ける複数のスケジュールをメモリに記憶する記憶ステップと、
前記スケジュールによって示される前記ユーザに対応付けられる機器を判別する判別ステップと、
前記スケジュールに対応付けられる時刻に前記判別された機器を制御する制御ステップと、
を備え、
前記制御ステップでは、余剰電力が発生すると、前記メモリに記憶されているスケジュールのうち、前記時刻を早めることが許可された許可グループに分類されるスケジュールの時刻を早め、前記判別された機器の制御を前記早められた時刻において前記機器に開始させる、
エネルギーマネジメント方法。
【請求項１４】
コンピュータを、
ユーザと前記ユーザから入力された時刻とを対応付けるスケジュールを複数記憶する記憶部、
前記スケジュールによって示される前記ユーザに対応付けられる機器を判別する判別部、
前記スケジュールに対応付けられる時刻に前記判別された機器を制御する制御部、
として機能させ、
前記制御部は、余剰電力が発生すると、前記記憶されているスケジュールのうち、前記時刻を早めることが許可された許可グループに分類されるスケジュールの時刻を早め、前記判別された機器の制御を前記早められた時刻において前記機器に開始させる、
プログラム。
【発明の詳細な説明】
【技術分野】
【０００１】
本発明は、宅内の電力を管理するコントローラ、エネルギーマネジメントシステム、電力機器、エネルギーマネジメント方法、及び、プログラムに関する。
【背景技術】
【０００２】
ＨＥＭＳ（Home Energy Management System）は、少なくとも一つの機器を有する宅内に設けられ、機器への電力供給を制御する。ＨＥＭＳは、太陽光発電等の自然エネルギーによる発電システムと、発電システムによる発電及び商用電源からの電力を蓄える蓄電システムと、を有する。ＨＥＭＳは、宅内の発電システム及び蓄電システムと、商用電源と、を連携させて機器に電力を供給したり、宅内の電力線を商用電源から切り離して自立して運転したりすることができる。【０００３】
機器による消費電力量と、発電システムによる発電量と、蓄電システムにおける蓄電量は、機器の使用、時間帯、天候、連携と自立の切り替え等により、逐次変化する。その際、発電システムによって生成される電力に余剰が発生することがある。【０００４】
例えば、特許文献１には、余剰電力が発生すると、機器を動作させて余剰電力を消費させるシステムが開示されている。特許文献１によれば、システムは、余剰電力が発生する時刻と余剰電力量とを予測し、余剰電力量の予測値を最も効率良く使用できる機器の組み合わせを選択する。
【先行技術文献】
【特許文献】
【０００５】
【特許文献１】特開２０１１−０６１９９２号公報
【発明の概要】
【発明が解決しようとする課題】
【０００６】
しかしながら、上記の従来技術によれば、余剰電力量に応じて機器の組み合わせが選択されるのであって、ユーザの予定や嗜好は考慮されない。従って、最も効率良く余剰電力を消費できるからといって、必ずしもユーザにとって都合が良い機器の制御が行われるわけではない。【０００７】
本発明は、上記課題を解決するためになされたもので、発電の廃棄ロスを減らし、余剰電力をユーザにとって都合良く活用することができるコントローラ、エネルギーマネジメントシステム、電力機器、エネルギーマネジメント方法、及び、プログラムを提供することを目的とする。
【課題を解決するための手段】
【０００８】
上記課題を解決するため、この発明に係るコントローラは、
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記時刻を早めることが許可された許可グループに分類されるスケジュールの時刻を早め、前記判別された機器の制御を前記早められた時刻において前記機器に開始させる。
【発明の効果】
【０００９】
発電の廃棄ロスを減らし、余剰電力をユーザにとって都合良く活用することができる。
【図面の簡単な説明】
【００１０】
【図１】エネルギーマネジメントシステムの構成を示す図である。
【図２】ＨＥＭＳコントローラの構成を示す図である。
【図３Ａ】レイアウト定義テーブルの構成例を示す図である。
【図３Ｂ】基本情報の入力を受け付ける画面の構成例を示す図である。
【図４Ａ】機器−部屋対応付けテーブルの構成例を示す図である。
【図４Ｂ】部屋と機器との対応付けの入力を受け付ける画面の構成例を示す図である。
【図５Ａ】部屋−ユーザ対応付けテーブルの構成例を示す図である。
【図５Ｂ】部屋とユーザとの対応付けの入力を受け付ける画面の構成例を示す図である。
【図６】スケジュール表の構成例を示す図である。
【図７】スケジュールの前倒しを説明する図である。
【図８】過去の電力消費量と前倒しされないスケジュールとの関係を説明する図である。
【図９】過去の電力消費量と前倒しされるスケジュールとの関係を説明する図である。
【図１０】機器の動作の履歴を示す図である。
【図１１】機器による消費電力量の特性を説明する図である。
【図１２】動作モードの移行前後における消費電力量の推移を説明する図である。
【図１３】機器による消費電力量の特性を説明する図である。
【図１４】状態テーブルの構成を説明する図である。
【図１５】設定テーブルの構成を説明する図である。
【図１６】機器制御処理を説明するフローチャートである。
【発明を実施するための形態】
【００１１】
以下、本発明の実施形態を説明する。
【００１２】
図１に、本実施形態に係るエネルギーマネジメントシステム１の構成を示す。エネルギーマネジメントシステム１は、宅内（需要家内）に設置される様々な機器の消費電力や状態等を監視し、また、様々な機器の動作を制御する。
【００１３】
ＨＥＭＳコントローラ１００は、エネルギーマネジメントシステム１全体を制御する。ＨＥＭＳコントローラ１００は、空調機等、宅内に設置される機器１６０（図１中では１６０Ａ，１６０Ｂ，１６０Ｃ，１６０Ｄと記載。）と無線又は有線により通信し、機器１６０の状態を示す情報を取得する。例えば、ＨＥＭＳコントローラ１００は、空調機に設定されている温度、空調機における冷房と暖房の設定、テレビジョン受像機の電源が入っているか否か、等の情報を取得する。
【００１４】
機器１６０は、電力によって動作する。機器１６０は、具体的には、例えば、空調機、テレビジョン受像機、床暖房システム、給湯システム、換気システム、冷凍冷蔵庫、照明器具、ＩＨ（Induction Heating）クッキングヒータ等である。
【００１５】
また、ＨＥＭＳコントローラ１００は、機器１６０から取得した状態を示す情報に基づいて、機器１６０に処理を実行させる。ＨＥＭＳコントローラ１００は、分電盤１４０によって切り替えられる運転モードに従って、機器１６０を動作させる。
【００１６】
エネルギーマネジメントシステム１の運転モードには２種類ある。一つは、電力線１７０が商用電源と繋げられ、商用電源から電力の供給を受ける連携モードである。連携モードでは、商用電源からの電力のほかに、発電システム１２０によって生成された電力と、蓄電システム１３０によって蓄えられた電力とを宅内に供給することができる。また、連携モードでは、発電システム１２０によって発電された電力を商用電源へ供給する（電力会社等に売電する）こともできる。
【００１７】
もう一つは、電力線１７０が商用電源から切り離され、商用電源から電力の供給を受けずに、発電システム１２０によって発電された電力、及び／又は、蓄電システム１３０に蓄えられた電力を宅内に供給する自立モードである。自立モードでは、ＨＥＭＳコントローラ１００は、エネルギーマネジメントシステム１全体の消費電力量を抑え、出来るだけ長時間、機器１６０等をユーザが使用できるように、機器１６０の利用可能な機能を制限する。詳しくは後述する。
【００１８】
運転モードの切り替えは、商用電源からの電力の供給状態を示す計測結果に基づいて、分電盤１４０によって行われる。典型的には、商用電源が停電していないときには連携モードに設定され、商用電源の停電が検知されると自立モードに設定される。
【００１９】
パワーコンディショナ１１０は、制御ユニット１１１と直流交流交換装置（ＰＣＳ）１１２と双方向ＰＣＳ１１３とを備える。
【００２０】
制御ユニット１１１は、ＰＣＳ１１２と双方向ＰＣＳ１１３による充電と放電を制御する。
【００２１】
ＰＣＳ１１２は、発電システム１２０によって発電された直流電流を交流電流に変換し、電力線１７０に供給する。
【００２２】
双方向ＰＣＳ１１３は、発電システム１２０によって発電された直流電流を蓄電システム１３０に供給したり、商用電源から供給された交流電流を直流電流に変換して蓄電システム１３０に供給したりする。また、双方向ＰＣＳ１１３は、蓄電システム１３０に蓄えられた電力を交流電流に変換して電力線１７０に供給する。
【００２３】
発電システム１２０は、太陽光発電により、発電する。ただし、発電方法は本発明によって限定されない。
【００２４】
蓄電システム１３０は、発電システム１２０によって発電された電力と、商用電源から供給された電力を蓄電する。電気自動車を蓄電システム１３０の一部として使用することもできる。
【００２５】
分電盤１４０は、複数のブレーカを備え、商用電源と電力線１７０とを接続する。主幹ブレーカの開閉により、商用電源と電力線１７０とを繋げたり切り離したりすることが可能である。また、分電盤１４０から分岐される分岐回路ごとに接続される分岐ブレーカにより、電力線１７０が宅内の各部屋へ分岐される。
【００２６】
計測部１５０は、宅内で消費される電力量と、発電システム１２０による発電量を計測する。
【００２７】
次に、ＨＥＭＳコントローラ１００の構成について、図２を用いて説明する。
【００２８】
入力部２０１は、キーボードやボタン等の入力デバイスを備える。入力部２０１は、ユーザからの指示入力を受け付ける。
【００２９】
表示部２０２は、ディスプレイ等の表示デバイスを備える。
【００３０】
記憶部２０３は、不揮発性メモリを備える。記憶部２０３は、制御部２０５により実行されるプログラムのほか、図３Ａに示す宅内の部屋のレイアウトを定義するレイアウト定義テーブル３００と、図４Ａに示すＨＥＭＳコントローラ１００による制御対象の各機器又はシステムの宅内における設置場所を定義する機器−部屋対応付けテーブル４００と、図５Ａに示す各機器又はシステムとユーザとの対応付けを定義する部屋−ユーザ対応付けテーブル５００と、図６に示すスケジュール表６００とを記憶する。詳細は後述する。
【００３１】
通信部２０４は、ＮＩＣ（Network Interface Card）を備え、機器１６０及び計測部１５０と通信する。
【００３２】
制御部２０５は、ＣＰＵ（Central Processing Unit）、オペレーティングシステム等のプログラムを記憶するＲＯＭ（Read Only Memory）、ワークエリアとなるＲＡＭ（Random Access Memory）等から構成される。制御部２０５は、記憶部２０３に記憶されているプログラムを実行し、ＨＥＭＳコントローラ１００全体を制御する。
【００３３】
ＨＥＭＳコントローラ１００として、一般的なサーバ、メインフレーム、パーソナルコンピュータ等を採用することができる。
【００３４】
図３Ａに、２階建ての一戸建て住宅におけるレイアウト定義テーブル３００の構成例を示す。レイアウト定義テーブル３００には、部屋の識別番号と、部屋がある階数と、部屋の名称と、部屋の広さとが対応付けて記憶される。制御部２０５は、ユーザからの入力に基づいて、レイアウト定義テーブル３００を適宜変更することができる。
【００３５】
図３Ｂに、エネルギーマネジメントシステム１における、基本情報の入力をユーザから受け付ける画面の構成例を示す。この画面は、例えばエネルギーマネジメントシステム１のセットアップ時に、液晶ディスプレイに表示される。ユーザは、この画面を用いて、家の間取りと家族構成等の基本情報を入力する。制御部２０５は、ユーザからの入力内容に基づいて、レイアウト定義テーブル４００を作成し、あるいは更新する。
【００３６】
図４Ａに、機器−部屋対応付けテーブル４００の構成例を示す。機器−部屋対応付けテーブル４００には、部屋の識別番号と対応付けて、その部屋の中に設置される機器１６０の識別番号と、その機器１６０の名称と、が記憶される。機器１６０の定格電力等の特性値が更に記憶されてもよい。
【００３７】
例えば、ユーザは、新たに機器１６０を購入して部屋の中に設置すると、ＨＥＭＳコントローラ１００を操作して機器−部屋対応付けテーブル４００を編集する画面を表示させ、機器１６０を設置した部屋と機器１６０の名称等を入力する。制御部２０５は、ユーザからの入力に基づいて、機器−部屋対応付けテーブル４００を適宜変更する。
【００３８】
図４Ｂに、部屋と機器１６０との対応付けをユーザが入力する画面の構成例を示す。ユーザは、機器１６０を表すアイコン４０１（本図中では４０１Ａ，４０１Ｂ，４０１Ｃの３つ）を、設置した部屋を表す枠内にドラッグして移動させる。制御部２０５は、ユーザから入力に基づいて、機器−部屋対応付けテーブル４００を生成し、あるいは更新する。
【００３９】
ＨＥＭＳコントローラ１００は、宅外ネットワーク上にあるサーバから情報を取得して機器−部屋対応付けテーブル４００を更新してもよい。ＨＥＭＳコントローラ１００が機器１６０の型番やシリアルナンバーの入力をユーザから受け付けてサーバに送信し、サーバが型番やシリアルナンバーに対応する機器１６０の定格電力等の特性値をサーバから取得してＨＥＭＳコントローラ１００へ送信し、ＨＥＭＳコントローラ１００がサーバから取得した特性値を用いて機器−部屋対応付けテーブル４００を更新してもよい。
【００４０】
例えば、図４Ｂに示す画面において、ユーザが空調機を表すアイコン４０１Ａをリビングの領域の中にドラッグすると、制御部２０５は、リビングの領域の中に、空調機を表す画像を配置する。機器１６０を表す画像は、ユーザが実際に設置した機器１６０の外見を忠実に再現するものでなくてよい。また、画像を配置する位置は、ユーザが実際に設置した場所を忠実に再現するものでなくてよい。
【００４１】
図５Ａに、部屋−ユーザ対応付けテーブル５００の構成例を示す。部屋−ユーザ対応付けテーブル５００には、部屋の識別番号と対応付けて、その部屋を主に使用する人を示す情報が記憶される。例えば、識別番号“１０３”のリビングには、父、母、息子、娘、の４人が対応付けられる。
【００４２】
図５Ｂに、部屋とユーザとの対応付けを入力する画面の構成例を示す。ユーザは、ユーザを表すアイコン５０１（本図中では５０１Ａ，５０１Ｂ，５０１Ｃの３つ）を、部屋を表す枠内にドラッグして移動させ、部屋を主に使用するユーザを指定する。制御部２０５は、この画面を用いた入力内容に基づいて、部屋−ユーザ対応付けテーブル５００を生成し、あるいは更新する。
【００４３】
機器−部屋対応付けテーブル４００と部屋−ユーザ対応付けテーブル５００とを組み合わせると、部屋の識別番号が共通キーであることから、機器１６０とユーザとの対応関係が得られる。
【００４４】
例えば、図４Ａに示す機器−部屋対応付けテーブル４００によれば、識別番号“１０２”の書斎には、識別番号“０００１”の空調機と、識別番号“０００２”の家電機器（テレビジョン受像機；ＴＶ）と、識別番号“０００３”の床暖房システムとが対応付けられている。また、図５Ａに示す部屋−ユーザ対応付けテーブル５００によれば、識別番号“１０２”の書斎には“父”が対応付けられている。従って、制御部２０５は、識別番号“０００１”の空調機と、識別番号“０００２”の家電機器と、識別番号“０００３”の床暖房システムの３つが“父”に対応付けられている、と判別する。同様にして、制御部２０５は、すべての機器１６０について、機器１６０に対応付けられるユーザを判別する。
【００４５】
図６に、スケジュール表６００の構成例を示す。スケジュール表６００は、ＨＥＭＳコントローラ１００の入力部２０１もしくは端末装置（図示せず）を用いてユーザによって入力され、記憶部２０３に記憶される。一つのスケジュールには、ユーザと、予定の内容と、予定の開始日時と、予定の終了日時とが対応付けられる。
【００４６】
ＨＥＭＳコントローラ１００の制御部２０５は、スケジュール表６００に格納されているスケジュールに基づいて、機器１６０を制御することができる。例えば、図６に示すスケジュール表６００によれば、2013年10月31日7時30分から2013年10月31日19時30分までの間、“父”には仕事で家を留守にする予定が入っている。そこで、制御部２０５は、この予定の開始日時に、“父”のみに対応付けられる部屋“書斎（識別番号１０２）”の中に設置されている空調機の冷房を停止する。
【００４７】
特定のユーザが対応付けられる代わりに、特定の機器１６０が対応付けられるスケジュールがスケジュール表６００に登録されてもよい。制御部２０５は、特定の機器１６０が対応付けられたスケジュールの開始日時になると、設定された処理の実行をその機器１６０に開始させる。また、制御部２０５は、スケジュールの終了時刻になると、機器１６０に設定された処理の実行をその機器１６０に終了させる。この場合、制御部２０５は、機器−部屋対応付けテーブル４００と部屋−ユーザ対応付けテーブル５００とを参照しなくてよい。
【００４８】
次に、ＨＥＭＳコントローラ１００によって行われる機器制御処理について説明する。発電システム１２０による発電量は、天候や時間帯等により変動する。また、蓄電システム１３０における蓄電量は、機器１６０の運転状況やエネルギーマネジメントシステム１の運転モード等により変動する。
【００４９】
発電システム１２０による発電が可能であり、且つ、蓄電システム１３０における空き容量に余裕がある場合には、発電システム１２０による発電された電気を蓄電システム１３０に蓄えることができる。しかし、蓄えることができる電力量には限りがある。蓄電システム１３０における空き容量がないと、蓄電することができず、電気の廃棄ロスが発生する可能性がある。そこで、本実施形態のＨＥＭＳコントローラ１００は、機器１６０の運転スケジュールを変更したり、機器１６０の動作モードを調整したりすることによって、なるべく廃棄ロスを発生させない。
【００５０】
（１）蓄電
発電システム１２０よる発電量がエネルギーマネジメントシステム１全体の消費電力量を上回り、且つ、蓄電システム１３０における空き容量がある場合、エネルギーマネジメントシステム１は、発生した余剰電力を蓄電システム１３０に蓄える。蓄電システム１３０における空き容量が無くなると、蓄電をやめ、以下に説明するスケジュールの変更等を行う。
【００５１】
（２）スケジュールの変更
余剰電力が発生し、且つ、蓄電システム１３０における空き容量が無くなると、制御部２０５は、スケジュール表６００に登録されているスケジュールを参照し、スケジュールによって設定されている機器１６０の稼働を開始する時刻を早め、機器１６０に余剰電力を消費させる。以下の説明において、ユーザによって設定されたスケジュールの開始時刻をＨＥＭＳコントローラ１００が早めることを、「スケジュールを前倒しする」と表現する。
【００５２】
図７に、スケジュール表６００に登録されているスケジュールの例を示す。スケジュールＳ１には、ユーザＵ１と対応付けて、予定の開始時刻Ｔ２と終了時刻Ｔ４が設定されている。制御部２０５は、部屋−ユーザ対応付けテーブル５００に基づいて、ユーザＵ１に対応付けられる部屋を判別する。更に、制御部２０５は、機器−部屋対応付けテーブル４００に基づいて、判別された部屋に対応付けられる機器Ｐを判別する。すなわち、制御部２０５は、スケジュールＳ１に従って制御すべき対象が機器Ｐである、と判別する。
【００５３】
また、スケジュールＳ２には、機器Ｑと対応付けて、予定の開始時刻Ｔ３と終了時刻Ｔ５が設定されている。スケジュールＳ２に従って制御すべき対象は機器Ｑである。
【００５４】
制御部２０５は、スケジュールＳ１に設定されている開始時刻Ｔ２よりも早い時刻Ｔ１に余剰電力が発生したと判別すると、前倒しが許可されるグループ（以下、「許可グループ」という。）に分類されるスケジュールがあるか否かを判別する。
【００５５】
スケジュールには、前倒しが許可される許可グループに分類されるスケジュールと、前倒しが許可されないグループ（以下、「不許可グループ」という。）に分類されるスケジュールと、がある。
【００５６】
許可グループには、開始時刻を早めてもユーザの生活に支障が出ず、開始時刻を早めることによってユーザにとってより快適な生活環境を実現できる処理に対応付けられるスケジュールが分類される。エネルギーを蓄える効果が高い処理が行われるスケジュールが許可グループに分類されることが望ましい。例えば、冷暖房を始める時刻を早める、給湯システムにおいて冷水を加熱し始める時刻を早める、等といったスケジュールが、許可グループに分類される。
【００５７】
ただし、余剰電力が発生した時刻とスケジュールの開始時刻とに大きな開きがある場合には、スケジュールが不許可グループに分類されることがある。制御部２０５は、余剰電力が発生した時刻より後であって、余剰電力が発生した時刻から予め設定された時間幅以内に開始時刻が設定されているスケジュール、簡単に言えばもうすぐ実行される予定のスケジュールを、許可グループに分類する。閾値となるこの時間幅は、制御部２０５が予め決定してもよいし、ユーザが指定してもよい。
【００５８】
例えば、暖房を開始するスケジュールが組まれているものの、余剰電力が発生してから１２時間も後に開始する予定ならば、このスケジュールを前倒しすべきでない。制御部２０５は、余剰電力が発生した時刻から予め設定された時間幅以内に開始時刻が設定されていれば、暖房を開始するスケジュールを許可グループに分類する。しかし、制御部２０５は、余剰電力が発生した時刻から予め設定された時間幅以外に開始時刻が設定されていれば、暖房を開始するスケジュールを不許可グループに分類する。
【００５９】
不許可グループには、開始時刻を早めることによって、必ずしもユーザにとって快適な環境を実現することにならず、電気の無駄遣いになる可能性が高いスケジュールが分類される。例えば、照明機器を点灯させるスケジュールは、もしユーザが不在であったり昼間であったりすれば、開始時刻を早めても大抵無意味である。また、エネルギーを蓄える効果が小さい。従って、本実施形態では、照明機器を点灯させるスケジュールは、不許可グループに分類される。
【００６０】
余剰電力が発生し、許可グループに分類されるスケジュールが登録されている場合、制御部２０５は、まず、許可グループに含まれるすべてのスケジュールのうち、ユーザが対応付けられているスケジュールを、前倒しするスケジュールの候補とする。ユーザが対応付けられるスケジュールが複数の場合には、それら複数のスケジュールのそれぞれが候補となる。
【００６１】
制御部２０５は、候補の中から少なくとも一つのスケジュールを選択する。そして、制御部２０５は、選択したスケジュールの開始時刻を前倒しする。
【００６２】
図７に示す２つのスケジュールが登録されている場合、制御部２０５は、前倒しするスケジュールとして、ユーザが対応付けられているスケジュールＳ１を選択する。制御部２０５は、スケジュールＳ１に設定されている開始時刻Ｔ２よりも早い時刻Ｔ１を、スケジュールＳ１の開始時刻に変更する。すなわち、余剰電力が発生した時刻Ｔ１に、スケジュールＳ１に対応付けられる処理の実行を開始する。
【００６３】
許可グループに分類されるスケジュールが複数ある場合、制御部２０５は、予め決められた優先順位に従って一つずつスケジュールを前倒ししていき、余剰電力がすべて消費されるようになるまで前倒しを繰り返してもよい。
【００６４】
制御部２０５は、次に、許可グループに含まれるすべてのスケジュールのうち、機器１６０が対応付けられているスケジュールを、前倒しするスケジュールの候補とする。機器１６０が対応付けられるスケジュールが複数の場合には、それら複数のスケジュールのそれぞれが候補となる。そして、制御部２０５は、候補の中から少なくとも一つのスケジュールを選択し、選択したスケジュールの開始時刻を前倒しする。
【００６５】
例えば、制御部２０５は、時刻Ｔ１にスケジュールＳ１を前倒しして処理を開始した後、まだ余剰電力があると、機器Ｑが対応付けられているスケジュールＳ２を選択する。制御部２０５は、更にスケジュールＳ２を前倒しする。
【００６６】
本実施形態では、ユーザが対応付けられるスケジュールを、機器１６０が対応付けられるスケジュールよりも優先して、前倒しする。しかし、制御部２０５は、機器１６０が対応付けられるスケジュールを、ユーザが対応付けられるスケジュールよりも優先して前倒しすることがあってもよい。
【００６７】
例えば、エネルギーマネジメントシステム１が宅内にユーザがいるかいないかを検知するセンサを更に備え、制御部２０５は、家の中にユーザが存在する（家に家族の誰かがいる）と判別された場合にはユーザが対応付けられるスケジュールを優先して前倒しし、家の中にユーザが存在しない（家族全員が出かけている）と判別された場合には機器１６０が対応付けられるスケジュールを優先して前倒ししてもよい。
【００６８】
制御部２０５は、赤外線センサによってユーザを検知してもよいし、ユーザが所有するタグがＨＥＭＳコントローラ１００と通信可能か否かに基づいてユーザを検知してもよい。
【００６９】
制御部２０５は、ユーザからの入力に基づいて、スケジュールを許可グループ又は不許可グループに分類してもよい。例えば、制御部２０５は、スケジュールの入力を受け付ける画面において、スケジュールごとに前倒しを許可するか否かを指定する入力をユーザから受け付け、受け付けた入力に基づいてスケジュールを分類してもよい。
【００７０】
あるいは、制御部２０５は、スケジュールの内容に応じて、スケジュールを許可グループ又は不許可グループに分類してもよい。例えば、制御部２０５は、冷房の開始又は暖房の開始に対応付けられるスケジュールが登録された場合にはそのスケジュールを許可グループに自動的に分類し、照明の点灯に対応付けられるスケジュールが登録された場合にはそのスケジュールを不許可グループに自動的に分類してもよい。
【００７１】
また、制御部２０５は、現在の日時から予め設定された時間幅以内に開始時刻が設定されたスケジュールを許可グループに分類し、現在の日時から予め設定された時間幅以内に開始時刻が設定されていないスケジュールを不許可グループに分類してもよい。
【００７２】
（３）余剰の継続時間の推測
余剰電力が発生しても、様々な要因によりすぐに余剰が無くなるかもしれないし、長時間に渡って余剰が続くかもしれない。そこで、制御部２０５は、余剰電力が発生すると、その余剰が継続する時間を推測し、推測結果に応じてスケジュールを前倒しするか否かを決定することができる。
【００７３】
余剰の継続時間は、例えば、余剰電力が発生した日時、余剰電力が発生したときの天候や気温や湿度、機器１６０による消費電力量の過去の実績値等に基づいて、制御部２０５によって推測される。
【００７４】
具体的には、制御部２０５は、日没の時刻、つまり発電できなくなる時刻を、記憶部２０３に予め格納したデータベースから取得する。制御部２０５は、余剰電力が発生した時刻から日没の時刻までを、余剰の継続時間の最大値と推測する。
【００７５】
そして、制御部２０５は、推測した継続時間の最大値が閾値以下の場合、余剰電力が発生しても一時的なものであり長くは続かないと判別し、スケジュールを前倒ししない。一方、推測した継続時間の最大値が閾値より大きい場合、余剰電力の発生が一時的なものではなく長く続く可能性があると判別し、許可グループに分類されるスケジュールを前倒しする。
【００７６】
また、制御部２０５は、天気予報を含む気象情報を、インターネット等の外部ネットワーク上にあるサーバから取得し、取得した気象情報に基づいて、余剰の継続時間を推測してもよい。
【００７７】
例えば、余剰が発生した時刻が昼の１２時であり、日没が１８時であるとすると、余剰が最長で６時間続く可能性がある。しかし、１３時から雨になり安定して発電できなくなると予測される場合、余剰の継続時間は１時間程度と推測され、すぐに余剰が解消される可能性が高い。そこで、制御部２０５は、推測される余剰の継続時間が閾値より短い場合、余剰が発生しても長くは続かないと判別し、スケジュールを前倒ししない。一方、制御部２０５は、推測される余剰の継続時間が閾値以上場合、余剰が長く続くと判別し、許可グループに分類されるスケジュールを前倒しする。なお、閾値は、制御部２０５によって決定されてもよいし、ユーザによって指定されてもよい。
【００７８】
また、制御部２０５は、エネルギーマネジメントシステム１内に設置される温度計と湿度計により測定された温度と湿度を取得し、取得した温度と湿度に基づいて、余剰の継続時間を推測してもよい。
【００７９】
例えば、余剰電力が発生した時刻における温度又は湿度が基準値よりも高く、且つ、宅内にユーザがいる場合、ユーザが冷房をつける等、スケジュールにない処理が実行されることによって消費電力量が増加する可能性が高い。そこで、制御部２０５は、測定された温度又は湿度が基準値より高く、且つ、宅内にユーザがいる場合、余剰が長くは続かないと推測し、スケジュールを前倒ししない。一方、制御部２０５は、測定された温度又は湿度が基準値以下で、且つ、宅内にユーザがいる場合、余剰が長く続くと推測し、許可グループに分類されるスケジュールを前倒しする。基準値は、制御部２０５によって決定されてもよいし、ユーザによって指定されてもよい。
【００８０】
なお、制御部２０５は、余剰電力が発生した時刻における温度又は湿度が基準値よりも高くても、宅内にユーザがいない場合には、上述したように日時や天候等に基づいて余剰の継続時間を推測し、推測結果に基づいてスケジュールを前倒しするか否かを決定することができる。
【００８１】
また、制御部２０５は、機器１６０による過去の消費電力量の推移を表す履歴を記憶部２０３に記憶し、余剰電力が発生すると、この履歴に基づいて余剰の継続時間を推測してもよい。
【００８２】
ある時刻に余剰電力が発生したものの、過去の同時刻前後では消費電力量が増加傾向にあったり余剰がすぐに解消されていたりすると、余剰は長続きしない可能性が高いと推測される。そこで、制御部２０５は、余剰電力が発生しても、過去の同時刻前後で消費電力量が増加傾向にある場合には、余剰の継続時間が短いと判別し、スケジュールを前倒ししない。一方、制御部２０５は、過去の同時刻前後で消費電力量が減少傾向であったり余剰が続いていたりした場合には、余剰が長く続くと推測し、許可グループに分類されるスケジュールを前倒しする。
【００８３】
なお、制御部２０５は、単位時間あたりの消費電力の増加量が基準値より大きければ増加傾向にあると判別し、単位時間あたりの消費電力の増加量が基準値以下であれば増加傾向にないと判別する。基準値は、制御部２０５によって決定されてもよいし、ユーザによって指定されてもよい。
【００８４】
例えば、図８に示すように、時刻Ｔ１に余剰電力が発生し、時刻Ｔ２に開始されるスケジュールが登録されているとする。過去の同時刻Ｔ１付近における消費電力量の推移を表す近似直線８００の傾き（＝ｔａｎθ）が正の値である場合、制御部２０５は、時刻Ｔ１に発生した余剰は長続きしないと推測し、スケジュールＳ１を前倒ししない。
【００８５】
一方、図９に示すように、近似直線８００の傾きが負の値である場合、制御部２０５は、時刻Ｔ１に発生した余剰が今後も続くと推測し、許可グループに分類されるスケジュールＳ１を前倒しする。
【００８６】
なお、制御部２０５は、近似直線８００の傾きが正の値であっても、予め決められた許容値以下であれば、消費電力量は増加傾向にない、と判別してもよい。
【００８７】
制御部２０５は、スケジュールを前倒しする代わりに、機器Ｐの能力が制限される省エネルギーモードを解除して機器Ｐの能力が制限されない通常モードに移行させてもよい。ＨＥＭＳコントローラ１００は、省エネルギーモードを解除してユーザにとって理想的な環境を実現しつつ、電力の廃棄ロスを減らすことができる。ＨＥＭＳコントローラ１００は、ユーザの嗜好に合わせて機器を制御することができる。
【００８８】
（４）快適さの向上
ユーザが省エネルギーを考えて自主的に機器１６０の能力を下げることがある。例えば、ユーザは、できればもっと冷房を強くしたいと考えているものの、電気料金を抑えるために高めに温度を設定して我慢するかもしれない。そこで、制御部２０５は、余剰電力が発生し、且つ、ユーザが理想と考えている設定と現在の設定との間に開きがあると推測される場合には、その開きを埋めるべく、ユーザが理想と考えている設定に近づける。
【００８９】
制御部２０５は、図１０に示すように機器１６０の動作履歴を記憶部２０３に記憶する。図１０は、空調機の動作履歴を表す。動作履歴は、処理が実行された日時と処理内容とを対応付けた情報である。制御部２０５は、ＨＥＭＳコントローラ１００によって指示された場合における機器１６０の動作履歴に限らず、ユーザによって指示された場合における機器１６０の動作履歴も、記憶部２０３に記憶する。
【００９０】
制御部２０５は、記憶部２０３に記憶された動作履歴に基づいて、ユーザが理想と考えている設定を推測する。
【００９１】
例えば、冷房のときに設定された温度が摂氏２７度（以下、本実施形態において温度の単位はすべて摂氏である。）であった回数が最も多ければ、制御部２０５は、ユーザにとって最も理想的な冷房時の設定温度は２７度である、と推測する。
【００９２】
余剰電力が発生した時点で冷房が稼働しており、設定温度が２８度であったとすると、ユーザが節電を考えて温度を高めに設定していると推測される。制御部２０５は、現在の設定温度（２８度）と、推測される理想的な温度（２７度）との間に開きがあるか否かを判別する。この場合、温度の開きは１度である。そこで、制御部２０５は、この開きを解消すべく、空調機に設定温度を１度下げさせる。ただし、現在の設定温度が、推測される理想的な温度よりも低い場合、制御部２０５は、設定温度を変更しない。
【００９３】
例えば、暖房のときに設定された温度が摂氏２０度であった回数が最も多ければ、制御部２０５は、ユーザにとって最も理想的な暖房時の設定温度は２０度である、と推測する。
【００９４】
余剰電力が発生した時点で暖房が稼働しており、設定温度が１８度であったとすると、ユーザが節電を考えて温度を低めに設定していると推測される。制御部２０５は、現在の設定温度（１８度）と、推測される理想的な温度（２０度）との間に開きがあるか否かを判別する。この場合、温度の開きは２度である。そこで、制御部２０５は、この開きを解消すべく、空調機に設定温度を２度上げさせる。ただし、現在の設定温度が、推測される理想的な温度よりも高い場合、制御部２０５は、設定温度を変更しない。
【００９５】
制御部２０５は、動作履歴に基づいてユーザにとっての理想的な設定温度を推測する代わりに、ユーザから予め指定される温度をユーザにとっての理想的な設定温度と扱ってもよい。
【００９６】
ユーザにとっての理想的な環境を表すパラメータは、温度だけに限らない。例えば、明るさを０％（消灯）から１００％までの範囲で指定できる室内の照明器具において、明るさが１００％に設定された回数が最も多い場合、制御部２０５は、ユーザにとって最も理想的な明るさは１００％である、と推測する。
【００９７】
余剰電力が発生した時点において照明器具が点灯しており、明るさが５０％であったとすると、ユーザが節電を考えて明るさを低めに設定していると推測される。制御部２０５は、現在の明るさ（５０％）と、推測される理想的な明るさ（１００％）との間に開きがあるか否かを判別する。この場合、明るさの開きは５０％である。そこで、制御部２０５は、この開きを解消すべく、照明器具に明るさを１００％に上げさせる。ただし、現在の明るさが、推測される理想的な明るさよりも大きい場合、制御部２０５は、照明器具の明るさを変更しない。
【００９８】
また、ユーザにとっての理想的な環境を表すパラメータは、温度と明るさの組み合わせで表されてもよい。例えば、冷房が２７度に設定され、且つ、照明の明るさが１００％に設定される回数が最も多い場合、制御部２０５は、ユーザにとって最も理想的な環境は冷房が２７度で且つ明るさが１００％である、と推測する。
【００９９】
余剰電力が発生した時点において、冷房と照明の両方がつけられており、冷房が２８度に設定され且つ明るさが５０％に設定されていたとすると、制御部２０５は、現在の環境と、推測される理想的な環境との間に開きがあるか否かを判別する。この場合、温度の開きは１度であり、明るさの開きは５０％である。そこで、制御部２０５は、この開きを解消すべく、空調機に設定温度を１度下げさせ、且つ、照明器具に明るさを１００％に上げさせる。
【０１００】
制御部２０５は、冷房の設定温度の変更と明るさの変更とを同時に実行してもよいが、優先度を設けて段階的に実行してもよい。
【０１０１】
制御部２０５は、冷房の設定温度の変更と明るさの変更とのどちらを優先するかを、ユーザからの優先度の指定に基づいて決定してもよい。そして、制御部２０５は、決定された優先度に基づいて、冷房の設定温度の変更又は明るさの変更を段階的に実行してもよい。
【０１０２】
例えば、明るさの変更よりも、冷房の設定温度の変更のほうが優先度を高く設定されている場合、制御部２０５は、余剰電力が発生すると、まず、空調機に冷房の設定温度をユーザにとっての理想的な環境に近づけさせ、まだ余剰電力があれば、照明器具に明るさをユーザにとっての理想的な環境に近づけさせる。
【０１０３】
ここでは、環境を表すパラメータとして、空調機の設定温度と照明器具の明るさを取り上げたが、環境を表すパラメータはこれらに限られず、ほかにも、送風の強さ、床暖房の設定温度、換気の強弱等がある。
【０１０４】
（５）機器による消費電力量の特性
機器１６０が分類されるカテゴリには、空調機、照明器具、テレビジョン受像機、床暖房システム、給湯システム、冷蔵庫、ＩＨクッキングヒータ等、様々なカテゴリがある。また、同じカテゴリに含まれていても、メーカー、型番、製造ロットごとに細かな特性が異なることがある。例えば、空調機というカテゴリに含まれる機器１６０であっても、最新式の空調機と、数年前に発売された空調機とでは、定格電力等が異なることがある。本実施形態のＨＥＭＳコントローラ１００は、機器１６０ごとの特性の違いに応じて、余剰電力が発生したときに動作の設定を変更させる対象機器を選択することができる。
【０１０５】
図１１に、機器１６０の特性の一つである、起動後における消費電力量の推移を示す。特性曲線１１０１に対応する第１の機器では、消費電力量は、起動すると直ちに最大値に達し、その後、緩やかに減少していく。一方、特性曲線１１０２に対応する第２の機器では、消費電力量は、起動すると緩やかに上昇していき、やがて安定状態において最大値に達する。
【０１０６】
起動とは、待機状態から何らかの動作を開始することを言う。例えば空調機であれば、冷房も暖房も停止している待機状態から冷房又は暖房を開始することである。
【０１０７】
図１１において、第１の機器の場合、起動直後における消費電力量が多く、すぐに余剰電力を消費するためには効率が良い。第２の機器の場合、起動直後における消費電力量が少なく、すぐに余剰電力を消費するためには効率が悪い。そのため、第２の機器よりも第１の機器の方が、廃棄ロスを短時間で減らせる効果が大きい。
【０１０８】
一方で、異なった観点から特性の違いを見ることもできる。すなわち、第１の機器では起動直後における消費電力量が多いものの、安定状態になれば、第１の機器よりも第２の機器の方が消費電力量は上回る。そのため、第１の機器よりも第２の機器の方が、廃棄ロスを長期間に渡って減らせる効果が大きい。
【０１０９】
制御部２０５は、余剰電力が発生したときの状況に応じて、第１の機器を起動するか第２の機器を起動するかを選択することができる。
【０１１０】
例えば、制御部２０５は、起動直後における消費電力量が多い第１の機器を優先して起動させ、それでも余剰電力があるならば、起動直後における消費電力量が少ない第２の機器を起動させる。
【０１１１】
あるいは、上述した余剰の継続時間の推測において、推測された継続時間が閾値以下である（継続時間が比較的短い）と推測される場合には、制御部２０５は、起動直後における消費電力量が多い第１の機器を起動させる。一方、継続時間が閾値より大きい（継続時間が比較的長い）と推測される場合には、制御部２０５は、安定状態に入ったときの消費電力量が多い第２の機器を起動させる。
【０１１２】
あるいは、余剰電力量が閾値より大きい（余剰電力量が比較的多い）場合には、制御部２０５は、起動直後における消費電力量が多い第１の機器を起動させる。一方、余剰電力量が閾値以下である（余剰電力量が比較的少ない）場合には、制御部２０５は、起動直後における消費電力量が少ない第２の機器を起動させる。
【０１１３】
機器１６０の特性は、起動後における消費電力量の推移だけではない。例えば、複数の動作モードがある機器１６０において、第１の動作モードから第２の動作モードへ移行する際の消費電力量の推移と、第２の動作モードから第３の動作モードへ移行する際の消費電力量の推移とは、異なる。従って、制御部２０５は、余剰電力が発生した時点における動作モードと、移行後の動作モードと、の組み合わせを考慮し、最適な動作モードを選択する。
【０１１４】
広義には、機器１６０が待機電力のみ消費し、ユーザもしくはＨＥＭＳコントローラ１００からの指示を待機する待機状態も、動作モードの一つと言える。
【０１１５】
制御部２０５は、動作モードを変更することによって生じる消費電力量の増分が余剰電力量と最も近い動作モードを選択することが望ましい。理想的には、動作モードを移行することによって生じる消費電力量の増分が、余剰電力量と合致することが望ましい。また、商用電源からの買電がなるべく生じないことが望ましい。
【０１１６】
図１２に、移行前の動作モードと移行後の動作モードと消費電力量の推移との関係を例示する。これらの関係を表すデータは、記憶部２０３に予め記憶される。第１の機器が待機状態（ＯＦＦ）からモードＭ１へ移行する際の消費電力量の推移と、第１の機器がモードＭ３からモードＭ２へ移行する際の消費電力量の推移は、異なる。同様に、各モード間における移行の際の消費電力量の推移は異なる。
【０１１７】
例えば、余剰電力が発生した時点で第１の機器が待機状態（ＯＦＦ）であった場合、制御部２０５は、モードＭ１へ移行する場合の消費電力の増加量と、モードＭ２へ移行する場合の消費電力の増加量と、モードＭ３へ移行する場合の消費電力の増加量とを比較し、増加量が余剰電力量に最も近いモードを選択する。そして、制御部２０５は、選択したモードで第１の機器を起動させる。
【０１１８】
第１の機器のモードを変更するよりも、第２の機器のモードを変更する方が、効率よく余剰電力を解消できる場合、制御部２０５は、第１の機器のモードを変更する代わりに、第２の機器のモードを変更してもよい。
【０１１９】
例えば、第１の機器がＯＦＦ、第２の機器がモードＭ３で動作しているときに、余剰電力が発生すると、制御部２０５は、５つの移行パターンのそれぞれについて、見込まれる消費電力の増加量を計算する。つまり、（１）第１の機器をＯＦＦからモードＭ１へ移行する際の消費電力の増加量、（２）第１の機器をＯＦＦからモードＭ２へ移行する際の消費電力の増加量、（３）第１の機器をＯＦＦからモードＭ３へ移行する際の消費電力の増加量、（４）第２の機器をモードＭ３からモードＭ２へ移行する際の消費電力の増加量、（５）第２の機器をモードＭ３からモードＭ１へ移行する際の消費電力の増加量、である。第２の機器をモードＭ３からＯＦＦへ移行する際には、消費電力は増加しないので除外される。
【０１２０】
もし、消費電力の増加量が余剰電力量に最も近い制御が、第２の機器をモードＭ３からモードＭ２へ移行する制御であったとすると、制御部２０５は、余剰電力が発生した後、第２の機器をモードＭ３からモードＭ２へ移行させる。
【０１２１】
また、制御部２０５は、余剰の継続時間を推測し、継続時間に適した移行パターンを選択してもよい。
【０１２２】
例えば、余剰の継続時間が３０分であると推測された場合、制御部２０５は、上述した５つの移行パターンのそれぞれについて、３０分後の消費電力の増加量を記憶部２０３から取得する。そして、制御部２０５は、３０分後の消費電力の増加量が余剰電力量に最も近い移行パターンを選択する。
【０１２３】
あるいは、制御部２０５は、上述した５つの移行パターンのそれぞれについて、３０分間の消費電力量を記憶部２０３から取得する。そして、制御部２０５は、３０分間の消費電力の合計が余剰電力量に最も近い移行パターンを選択する。
【０１２４】
（６）優先度の算出
ＨＥＭＳコントローラ１００は、スケジュールを前倒しすることによる、エネルギーマネジメントシステム１全体への影響の大きさを数値化し、前倒しするスケジュールの優先度を計算することができる。本実施形態では、数値化されるパラメータには、（ａ）前倒しによる影響度を表すパラメータＰａ、（ｂ）スケジュールの近さを表すパラメータＰｂ、（ｃ）蓄エネルギーの効果を表すパラメータＰｃ、（ｄ）消費電力量の特性を表すパラメータＰｄ、がある。各パラメータＰａ，Ｐｂ，Ｐｃ，Ｐｄが総合的に勘案されて、優先度が決まる。
【０１２５】
（ａ）前倒しによる影響度を表すパラメータＰａ
制御部２０５は、前倒しによる影響の大きさを、複数段階に分けて数値化する。制御部２０５は、影響の大きさを、例えば、なし、小程度、中程度、大程度、の４段階に分けて判別する。そして、制御部２０５は、影響なしならＰａ＝１、小程度ならＰａ＝２、中程度ならＰａ＝３、大程度ならＰａ＝４等というように、点数を付与する。具体的な数値は任意である。
【０１２６】
パラメータＰａの大きさは、１人以上のユーザが対応付けられているスケジュールにおいて、スケジュールに対応付けられるユーザの数に依存してもよい。スケジュールに対応付けられるユーザの数が多いほど、パラメータＰａが大きくなる。
【０１２７】
例えば、第１のスケジュールに対応付けられるユーザの数が１であり、第２のスケジュールに対応付けられるユーザの数が３であれば、第２のスケジュールにおけるパラメータＰａは、第１のスケジュールにおけるパラメータＰａよりも大きい。
【０１２８】
あるいは、パラメータＰａは、スケジュールの開始時刻から終了時刻までの長さに依存してもよい。スケジュールの期間が長いほど、パラメータＰａが大きくなる。
【０１２９】
例えば、第１のスケジュールの期間が１時間であり、第２のスケジュールの期間が２時間であれば、第２のスケジュールにおけるパラメータＰａは、第１のスケジュールにおけるパラメータＰａよりも大きい。
【０１３０】
また、パラメータＰａの大きさは、スケジュールの実行によって制御される機器１６０の数に依存してもよい。あるスケジュールの実行によって制御される機器１６０の数が多いほど、パラメータＰａが大きくなる。
【０１３１】
例えば、第１のスケジュールでは一つの空調機を制御し、第２のスケジュールでは一つの空調機と一つの給湯システムを制御するのであれば、第２のスケジュールにおけるパラメータＰａは、第１のスケジュールにおけるパラメータＰａよりも大きい。
【０１３２】
（ｂ）スケジュールの近さを表すパラメータＰｂ
制御部２０５は、スケジュールの近さ、すなわち、余剰電力が発生した時刻からスケジュールの開始時刻までの時間の長さを、複数段階に分けて数値化する。制御部２０５は、例えば、１時間以上ならＰｂ＝１、３０分以上１時間未満ならＰｂ＝２、１５分以上３０分未満ならＰｂ＝３、１５分未満ならＰｂ＝４、等というように、点数を付与する。具体的な数値は任意である。
【０１３３】
本実施形態では、制御部２０５は、余剰電力が発生した時刻からスケジュールの開始時刻までの時間が短いほど、パラメータＰｂを大きく設定する。
【０１３４】
例えば、余剰電力が発生した時刻から第１のスケジュールの開始時刻までが３０分で、余剰電力が発生した時刻から第２のスケジュールの開始時刻までが１０分であるならば、第２のスケジュールにおけるパラメータＰｂは、第１のスケジュールにおけるパラメータＰｂよりも大きい。
【０１３５】
（ｃ）蓄エネルギーの効果を表すパラメータＰｃ
機器１６０が動作することによる環境への効果の持続度は、機器１６０ごとに異なる。例えば冷房では、一旦空気を冷やせば、冷房を止めても、空気が冷えた状態はある程度の期間持続する。給湯システムでは、一度冷水を暖めれば、加温を止めても、温水の状態はある程度の期間持続する。これに対し、照明器具では、早く点灯させたからといって余計に明るくなるわけではないし、消してしまえばすぐに暗くなる。つまり、エネルギーを貯め込む効果が小さい。ＨＥＭＳコントローラ１００は、効果の持続度、言い換えれば蓄エネルギーの効果の大きさに基づいて、パラメータＰｃを決定する。
【０１３６】
制御部２０５は、効果の継続時間に基づいて、機器１６０ごとの蓄エネルギーの効果の大きさを予め決定し、パラメータＰｃを機器１６０ごともしくは動作モードごとに設定する。
【０１３７】
本実施形態では、制御部２０５は、効果の大きさを、３時間未満、３時間以上６時間未満、６時間以上１２時間未満、１２時間以上、の各段階に分類し、３時間未満ならＰｃ＝１、３時間以上６時間未満ならＰｃ＝２、６時間以上１２時間未満ならＰｃ＝３、１２時間以上ならＰｃ＝４、等というように、点数を付与する。具体的な数値は任意である。
【０１３８】
例えば、第１のスケジュールでは冷房を１時間稼働させ、第２のスケジュールでは給湯システムを１時間稼働させるものであって、且つ、冷房による効果の持続時間が３時間であり給湯システムによる効果の持続時間が６時間であったとすれば、第２のスケジュールにおけるパラメータＰｃは、第１のスケジュールにおけるパラメータＰｃよりも大きい。
【０１３９】
（ｄ）消費電力量の特性を表すパラメータＰｄ
上述したように、消費電力量の変化の仕方は、機器１６０ごとに異なる。また、同じ機器１６０であっても、動作モードが複数あれば、消費電力量の変化の仕方は、動作モードごとに異なる。ＨＥＭＳコントローラ１００は、機器ごと、あるいは動作モードごとに、消費電力量の特性を表すパラメータＰｄを決定する。
【０１４０】
制御部２０５は、機器１６０の動作モードの移行に際し、消費電力の増加量が目標値に達するまでに要する時間に基づいて、パラメータＰｄを決定する。
【０１４１】
制御部２０５は、例えば、消費電力量が目標値に達するまでに要する時間が２０分以上ならＰｄ＝１、１０分以上２０分未満ならＰｄ＝２、１分以上１０分未満ならＰｄ＝３、１分未満ならＰｄ＝４、等というように、点数を付与する。具体的な数値は任意である。
【０１４２】
図１３に、時間の経過と消費電力量との関係の例を示す。線１３０１に対応する第１の機器では、消費電力量が目標値まで達するまで時間ＴＡを要する。一方、線１３０２に対応する第２の機器では、消費電力量が目標値まで達するまでに、時間ＴＡよりも長い時間ＴＢを要する。第１のスケジュールが、線１３０１が示す消費電力量の推移に従って第１の機器を制御するものであり、第２のスケジュールが、線１３０２が示す消費電力量の推移に従って第２の機器を制御するものである場合、第１のスケジュールにおけるパラメータＰｄは、第２のスケジュールにおけるパラメータＰｄよりも大きい。
【０１４３】
以上説明したパラメータＰａ，Ｐｂ，Ｐｃ，Ｐｄを用いて、制御部２０５は、［式１］に基づいて優先度を計算する。
【０１４４】
優先度  ＝  Ｗａ＊Ｐａ＋Ｗｂ＊Ｐｂ＋Ｗｃ＊Ｐｃ＋Ｗｄ＊Ｐｄ
・・・［式１］
ただし、演算子“＊”は乗算を表す。
【０１４５】
Ｗａ，Ｗｂ，Ｗｃ，Ｗｄは重み係数であり、正の値である。重み係数は、制御部２０５により、あるいはユーザにより、予め決定される。制御部２０５は、パラメータＰａ，Ｐｂ，Ｐｃ，Ｐｄのうち、優先度への貢献を大きくさせるパラメータに対応する重み係数に、相対的に大きな値を設定すればよい。
【０１４６】
制御部２０５は、推測された余剰の継続時間に応じて重み係数Ｗａ，Ｗｂ，Ｗｃ，Ｗｄを変化させてもよい。
【０１４７】
制御部２０５は、計算された優先度が大きい順に、スケジュールを前倒しする。
【０１４８】
優先度の計算に用いるパラメータは、上記のＰａ，Ｐｂ，Ｐｃ，Ｐｄだけに限られない。例えば、制御部２０５は、以下に示すパラメータＰｅ，Ｐｆを採用することもできる。
【０１４９】
（ｅ）動作モードを表すパラメータＰｅ
制御部２０５は、余剰電力が発生した時点で設定されていた機器１６０の動作モードを判別し、パラメータＰｅを決定する。
【０１５０】
例えば、機器１６０の動作モードに、消費電力量が多い順に、通常モード、弱い省エネルギーモード、強い省エネルギーモードの３つがある場合、余剰電力が発生した時点で通常モードに設定されていればＰｅ＝１、弱い省エネルギーモードに設定されていればＰｅ＝２，強い省エネルギーモードに設定されていればＰｅ＝３、等というように、点数を付与する。具体的な数値は任意である。
【０１５１】
（ｆ）消費電力量を表すパラメータＰｆ
制御部２０５は、動作モードの変更により増加する消費電力量に基づいて、パラメータＰｆを決定する。
【０１５２】
例えば、制御部２０５は、機器１６０ごとに、待機状態から第１の動作モードへ移行させた場合における消費電力の増加量、第１の動作モードから第２の動作モードへ移行させた場合における消費電力の増加量、第２の動作モードから第３の動作モードへ移行させた場合における消費電力の増加量、等を予め記憶部２０３に記憶する。制御部２０５は、余剰電力が発生したときの動作モードから他の動作モードへ移行させる場合における消費電力の増加量を記憶部２０３から取得する。そして、制御部２０５は、許可グループに分類されたスケジュールのそれぞれについて、パラメータＰｆを計算する。
【０１５３】
制御部２０５は、上記各パラメータＰａ，Ｐｂ，Ｐｃ，Ｐｄ，Ｐｅ，Ｐｆを自由に組み合わせて優先度を計算することができる。
【０１５４】
制御部２０５は、機器１６０が稼働状態か待機状態かに応じて、優先度を計算するための計算式を変更してもよい。
【０１５５】
例えば、機器１６０が稼働状態である場合、制御部２０５は、その機器１６０の動作モードを変更する優先度を［式２］に基づいて計算する。
【０１５６】
優先度  ＝  Ｗｃ＊Ｐｃ＋Ｗｅ＊Ｐｅ＋Ｗｄ＊Ｐｄ＋Ｗｆ＊Ｐｆ
・・・［式２］
【０１５７】
つまり、機器１６０が稼働状態である場合、蓄エネルギーの効果の大きさと、動作モードと、消費電力量の特性と、消費電力量の大きさとに基づいて、優先度が決まる。
【０１５８】
一方、機器１６０が待機状態である場合、制御部２０５は、その機器１６０の動作モードを変更する優先度を［式３］に基づいて計算する。
【０１５９】
優先度  ＝  Ｗａ＊Ｐａ＋Ｗｃ＊Ｐｃ＋Ｗｅ＊Ｐｅ＋Ｗｄ＊Ｐｄ＋Ｗｆ＊Ｐｆ
・・・［式３］
【０１６０】
つまり、機器１６０が待機状態である場合、更にスケジュールの影響度に基づいて、優先度が決まる。
【０１６１】
図１４に、記憶部２０３に記憶される状態テーブル１４００を示す。制御部２０５は、予め決められた時間間隔ごとに、機器１６０が稼働状態（ＯＮ）か待機状態（ＯＦＦ）か、ユーザによって優先的に処理することが指定されているか否か（ユーザ指定）、ユーザにとっての理想的な設定と相違があるか否か（相違）、を判別する。そして、制御部２０５は、それらの判別結果、及び、パラメータＰａ，Ｐｂ，Ｐｃ，Ｐｄ，Ｐｅ，Ｐｆの各値と現在の消費電力量を更新する。
【０１６２】
制御部２０５が状態テーブル１４００を更新する周期は任意である。本実施形態では、制御部２０５は、１分間隔で状態テーブル１４００を更新する。
【０１６３】
制御部２０５は、機器１６０が待機中の場合における状態テーブル１４００と、機器１６０が稼働中の場合における状態テーブル１４００とを別々に記憶部２０３に記憶してもよい。
【０１６４】
図１５に、記憶部２０３に記憶される設定テーブル１５００を示す。設定テーブル１５００には、機器１６０ごとに、許可グループに分類するための時間幅と、冷房の理想的な設定温度と、暖房の理想的な設定温度と、理想的な明るさとが記憶される。
【０１６５】
上述したように、余剰電力が発生した時刻から、設定テーブル１５００に設定された時間幅以内であれば、スケジュールは許可グループに分類される。
【０１６６】
設定テーブル１５００には、ユーザによって予め入力された値が記憶される。制御部２０５は、設定テーブル１５００に記憶された設定値を用いて、スケジュールを変更したり機器１６０を制御したりする。
【０１６７】
次に、本実施形態のＨＥＭＳコントローラ１００が実行する機器制御処理について、図１６のフローチャートを用いて説明する。
【０１６８】
制御部２０５は、エネルギーマネジメントシステム１内の各機器１６０の動作状態等を取得し、上述の状態テーブル１４００を更新する（ステップＳ１６０１）。
【０１６９】
状態テーブル１４００は、定期的なタイミングで更新される。制御部２０５は、状態テーブル１４００の更新を、図１６に示す機器制御処理と並行してバックグラウンドで実行してもよい。
【０１７０】
制御部２０５は、エネルギーマネジメントシステム１全体による消費電力量と、発電システムによる発電量とに基づいて、余剰電力があるか否かを判別する（ステップＳ１６０２）。
【０１７１】
余剰電力がない場合（ステップＳ１６０２；ＮＯ）、制御部２０５は機器制御処理を終了する。
【０１７２】
余剰電力がある場合（ステップＳ１６０２；ＹＥＳ）、制御部２０５は、蓄電システム１３０の空き容量があるか否かを判別する（ステップＳ１６０３）。
【０１７３】
制御部２０５は、蓄電量が上限値（例えば９５％等）に達していれば空き容量が無いと判別し、蓄電量が上限値に達していなければ空き容量があると判別する。
【０１７４】
空き容量がある場合（ステップＳ１６０３；ＹＥＳ）、制御部２０５は、蓄電システム１３０に余剰電力を蓄電させ（ステップＳ１６０４）、ステップＳ１６０２の処理に戻る。
【０１７５】
空き容量がない場合（ステップＳ１６０３；ＮＯ）、制御部２０５は、余剰の継続時間を推測し、推測された継続時間が閾値以上か否かを判別する（ステップＳ１６０５）。
【０１７６】
推測された継続時間が閾値以上の場合（ステップＳ１６０５；ＹＥＳ）、制御部２０５は、状態テーブル１４００に基づいて、稼働中の機器１６０があるか否かを判別する（ステップＳ１６０６）。待機中とは、機器１６０が待機電力のみ消費し、ＨＥＭＳコントローラ１００からの指示もしくはユーザからの指示を待機している状態である。稼働中とは、機器１６０が待機中ではない状態である。
【０１７７】
稼働中の機器１６０がある場合（ステップ１６０６；ＹＥＳ）、制御部２０５は、稼働中の機器１６０の動作を変更し（ステップＳ１６０７）、ステップＳ１６０１の処理に戻る。
【０１７８】
例えば、制御部２０５は、登録されているスケジュールのうち、稼働中の機器１６０の動作モードを変更するスケジュールを前倒しすることにより、機器１６０に余剰電力を消費させる。
【０１７９】
また、制御部２０５は、稼働中の機器１６０のうち、ユーザにとっての理想的な設定値と異なる設定値にて稼働している機器１６０を、ユーザにとっての理想的な設定値で稼働させることにより、機器１６０に余剰電力を消費させてもよい。
【０１８０】
また、制御部２０５は、ピークカット制御、すなわち電力の需要がピークにあたる時間帯の消費電力量を低く抑える制御を解除することにより、機器１６０に余剰電力を消費させてもよい。
【０１８１】
また、制御部２０５は、状態テーブル１４００に基づいて、ユーザによって優先的に処理するように指定された機器１６０の動作モードを変更することにより、機器１６０に余剰電力を消費させてもよい。
【０１８２】
なお、ステップＳ１６０７において機器１６０の動作モードを変更して余剰電力を消費させたものの、まだ余剰電力がある場合には、制御部２０５は、余剰電力が無くなるまでステップＳ１６０１〜Ｓ１６０７の処理を繰り返す。
【０１８３】
次に、制御部２０５は、待機中の機器１６０の動作を変更する（ステップＳ１６０８）。すなわち、制御部２０５は、稼働中の機器１６０の動作の変更を優先し、それでも余剰が解消されなければ、待機中の機器１６０の動作を変更する。
【０１８４】
例えば、制御部２０５は、登録されているスケジュールのうち、待機中の機器１６０を起動するスケジュールを前倒しすることにより、機器１６０に余剰電力を消費させる。
【０１８５】
また、制御部２０５は、状態テーブル１４００に基づいて、ユーザにより優先的に処理するように指定された機器１６０を起動することにより、機器１６０に余剰電力を消費させてもよい。
【０１８６】
なお、ステップＳ１６０５において、推測された継続時間が閾値未満の場合（ステップＳ１６０５；ＮＯ）、制御部２０５は、発電システム１２０による発電を抑制させ（ステップＳ１６０９）、機器制御処理を終了する。
【０１８７】
本実施形態によれば、エネルギーマネジメントシステム１において、ＨＥＭＳコントローラ１００は、発電の廃棄ロスを減らし、余剰電力をユーザにとって都合良く活用することができる。
【０１８８】
本発明は、上述した実施形態に限定されず、種々の変形及び応用が可能である。また、上述した実施形態の各構成要素を自由に組み合わせることも可能である。
【０１８９】
機器１６０による消費電力量の推移は、一般に誤差を含む。制御部２０５は、図１２に示す消費電力量のそれぞれについて、予想される誤差を合わせて記憶してもよい。
【０１９０】
機器１６０による消費電力量の推移は、機器１６０が設置された環境（例えば寒冷地か温暖地か）、機器１６０が設置されてから経過した日数等によって変化する可能性がある。制御部２０５は、実際に計測された消費電力量を用いて、図１２に示す消費電力量の推移を表すデータを随時更新してもよい。
【０１９１】
制御部２０５は、通信部２０４を介して、インターネット等の外部ネットワーク上にあるサーバから、機器１６０による消費電力量の特性を表すデータを取得し、図１２に示す消費電力量の推移を表すデータを更新してもよい。
【０１９２】
エネルギーマネジメントシステム１内にＨＥＭＳコントローラ１００を設置する代わりに、少なくとも一つの機器１６０が、上述したＨＥＭＳコントローラ１００が有する機能を兼ね備えてもよい。
【０１９３】
また、機器１６０のそれぞれが、上述したＨＥＭＳコントローラ１００が有する機能を兼ね備えてもよい。そして、機器１６０は、機器１６０自身の動作を指定するスケジュールの入力をユーザから受け付けてメモリに記憶し、余剰電力が発生すると、上述のように許可グループに分類されるスケジュールを前倒しして実行してもよい。この場合、機器１６０に入力されるスケジュールによる制御対象は機器１６０自身であるので、エネルギーマネジメントシステム１内に複数の機器１６０が含まれていても、機器１６０は、スケジュールによって示されるユーザに対応付けられる機器を判別する必要はない。
【０１９４】
スケジュール表６００に登録されるスケジュールによる制御対象の機器１６０及び処理内容は、本発明によって限定されない。例えば、機器１６０の種類及び処理内容には、次に掲げるものがある。
【０１９５】
・空調機・・・冷房と暖房と除湿と送風における稼働状態（ＯＮ）と待機状態（ＯＦＦ）、設定温度の変更、フィルターの清掃、予冷、予暖。
・床暖房・・・ＯＮとＯＦＦ、設定温度の変更、予暖。
・給湯システム・・・湯沸かし。水量の変更。温度の変更。
・電気自動車・・・充電。
・冷凍冷蔵庫・・・製氷、霜取り。
・照明器具・・・ＯＮとＯＦＦ、明るさの変更。
・テレビジョン受像機・・・明るさの変更。
・ＩＨクッキングヒータ・・・火力の制限の開始及び解除。
・換気システム・・・ＯＮとＯＦＦ、風量の変更。
・炊飯器・・・ＯＮとＯＦＦ。
・電気ポット・・・ＯＮとＯＦＦ、再沸騰。
・洗濯機、乾燥機・・・ＯＮとＯＦＦ。
・トイレ・・・温水便座のＯＮとＯＦＦ、自動清掃。
・パーソナルコンピュータ・・・ＯＮとＯＦＦ、充電。
・お掃除ロボット・・・ＯＮとＯＦＦ、充電。
【０１９６】
これら各処理はいずれも、スケジュール表６００に登録することが可能である。制御部２０５は、これらの各処理のいずれか一つ以上が対応付けられるスケジュールを前倒しすることが可能である。
【０１９７】
上記のエネルギーマネジメントシステム１の全部又は一部としてコンピュータを動作させるためのプログラムを、メモリカード、ＣＤ−ＲＯＭ、ＤＶＤ、ＭＯ（Magneto Optical disk）等のコンピュータが読み取り可能な記録媒体に格納して配布し、これを別のコンピュータにインストールし、上述の手段として動作させ、あるいは、上述の工程を実行させてもよい。
【０１９８】
更に、インターネット上のサーバ装置が有するディスク装置等にプログラムを格納しておき、例えば、搬送波に重畳させて、コンピュータにダウンロード等するものとしてもよい。
【０１９９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【０２００】
以上説明したように、本発明によれば、発電の廃棄ロスを減らし、余剰電力をユーザにとって都合良く活用することができる。
【符号の説明】
【０２０１】
１  エネルギーマネジメントシステム、１００  ＨＥＭＳコントローラ、１１０  パワーコンディショナ、１１１  制御ユニット、１１２  ＰＣＳ、１１３  双方向ＰＣＳ、１２０  発電システム、１３０  蓄電システム、１４０  分電盤、１５０  計測部、１６０  機器、１７０  電力線、２０１  入力部、２０２  表示部、２０３  記憶部、２０４  通信部、２０５  制御部、３００  レイアウト定義テーブル、４００  機器−部屋対応付けテーブル、５００  部屋−ユーザ対応付けテーブル、６００  スケジュール表、１４００  状態テーブル、１５００  設定テーブル
【図１】
2015072029.tif 000003
【図２】
2015072029.tif 000004
【図３Ａ】
2015072029.tif 000005
【図３Ｂ】
2015072029.tif 000006
【図４Ａ】
2015072029.tif 000007
【図４Ｂ】
2015072029.tif 000008
【図５Ａ】
2015072029.tif 000009
【図５Ｂ】
2015072029.tif 000010
【図６】
2015072029.tif 000011
【図７】
2015072029.tif 000012
【図８】
2015072029.tif 000013
【図９】
2015072029.tif 000014
【図１０】
2015072029.tif 000015
【図１１】
2015072029.tif 000016
【図１２】
2015072029.tif 000017
【図１３】
2015072029.tif 000018
【図１４】
2015072029.tif 000019
【図１５】
2015072029.tif 000020
【図１６】
2015072029.tif 000021
【手続補正書】
【提出日】平成27年11月30日(2015.11.30)
【手続補正１】
【補正対象書類名】明細書
【補正対象項目名】０００８
【補正方法】変更
【補正の内容】
【０００８】
上記課題を解決するため、この発明に係るコントローラは、
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる。
【手続補正２】
【補正対象書類名】特許請求の範囲
【補正対象項目名】全文
【補正方法】変更
【補正の内容】
【特許請求の範囲】
【請求項１】
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
コントローラ。
【請求項２】
前記記憶部は、前記機器による消費電力の特性を示すデータを更に記憶し、
前記制御部は、前記余剰電力が発生すると、前記判別された機器による消費電力の特性に基づいて、前記時刻を早めるスケジュールを決定する、
請求項１に記載のコントローラ。
【請求項３】
前記制御部は、前記余剰電力が発生すると、前記機器による消費電力の特性に基づいて、前記スケジュールの優先度を計算し、前記スケジュールのうち前記優先度が最も高いスケジュールの時刻を早める、
請求項２に記載のコントローラ。
【請求項４】
前記制御部は、起動直後に消費電力量が大きい特性を持つ機器のスケジュールの時刻を早める、
請求項２に記載のコントローラ。
【請求項５】
前記制御部は、前記余剰電力が発生すると、前記機器を制御することにより得られる環境への効果の持続度に基づいて、前記スケジュールの優先度を計算し、前記スケジュールのうち前記優先度が最も高いスケジュールの時刻を早める、
請求項１に記載のコントローラ。
【請求項６】
前記制御部は、前記余剰電力が発生すると、前記スケジュールが開始される時刻から終了される時刻までの時間の長さと、前記スケジュールに対応付けられるユーザの数と、前記判別された機器の数と、のうち少なくともいずれか一つに基づいて、前記スケジュールの優先度を計算し、前記スケジュールのうち前記優先度が最も高いスケジュールの時刻を早める、
請求項１に記載のコントローラ。
【請求項７】
前記制御部は、前記余剰電力が発生すると、前記余剰電力が発生した時刻から前記スケジュールが開始される時刻までの時間の長さに基づいて、前記スケジュールの優先度を計算し、前記スケジュールのうち前記優先度が最も高いスケジュールの時刻を早める、
請求項１に記載のコントローラ。
【請求項８】
前記機器の動作のモードは複数あり、
前記特性は、第１のモードから第２のモードへ移行する際の消費電力量の推移を表し、
前記制御部は、前記余剰電力が発生すると、前記余剰電力の量と、前記特性が示す消費電力量の推移と、に基づいて、前記スケジュールの優先度を計算し、前記スケジュールのうち前記優先度が最も高いスケジュールの時刻を早める、
請求項２に記載のコントローラ。
【請求項９】
前記制御部は、前記余剰電力が発生すると、前記余剰電力の発生の継続時間を推測し、前記推測された継続時間が閾値より大きい場合に、前記許可グループに分類されるスケジュールの時刻を早める、
請求項１に記載のコントローラ。
【請求項１０】
前記制御部は、前記余剰電力が発生すると、前記機器の過去の動作履歴に基づいて、前記ユーザの嗜好を推測し、前記推測された嗜好に基づいて、前記許可グループに分類されるスケジュールの時刻を早める、
請求項１に記載のコントローラ。
【請求項１１】
前記制御部は、前記余剰電力が発生すると、前記ユーザから入力された前記機器の設定値と、前記余剰電力が発生したときにおける前記機器の設定値と、の比較結果に基づいて、前記許可グループに分類されるスケジュールの時刻を早める、
請求項１に記載のコントローラ。
【請求項１２】
前記制御部は、前記余剰電力が発生し、蓄電システムに空き容量がある場合、前記余剰電力を前記蓄電システムに蓄えさせ、前記蓄電システムの空き容量が無くなると、前記記憶されているスケジュールのうち、前記許可グループに分類されるスケジュールの時刻を早める、
請求項１から１１のいずれか１項に記載のコントローラ。
【請求項１３】
前記機器は、前記機器の能力が制限される省エネルギーモードを有し、
前記制御部は、前記機器が前記省エネルギーモードに設定されている場合、前記スケジュールの時刻を早める代わりに、前記省エネルギーモードの設定を解除する、
請求項１から１２のいずれか１項に記載のコントローラ。
【請求項１４】
コントローラと複数の機器とを有するエネルギーマネジメントシステムであって、
ユーザと前記ユーザから入力された時刻とを対応付ける複数のスケジュールを記憶する記憶部と、
前記複数の機器の中から、前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメントシステム。
【請求項１５】
ユーザから入力された時刻と動作とを対応付ける複数のスケジュールを記憶する記憶部と、
前記スケジュールに対応付けられる時刻に、前記スケジュールに対応付けられる動作を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記動作の制御を前記早められた時刻において開始する、
電力機器。
【請求項１６】
ユーザと前記ユーザから入力された時刻とを対応付ける複数のスケジュールを記憶する記憶部を参照し、前記スケジュールによって示される前記ユーザに対応付けられる機器を判別する判別ステップと、
前記スケジュールに対応付けられる時刻に前記判別された機器を制御する制御ステップと、
を備え、
前記制御ステップでは、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメント方法。
【請求項１７】
コンピュータを、
ユーザと前記ユーザから入力された時刻とを対応付ける複数のスケジュールを記憶する記憶部を参照し、前記スケジュールによって示される前記ユーザに対応付けられる機器を判別する判別部、
前記スケジュールに対応付けられる時刻に前記判別された機器を制御する制御部、
として機能させ、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
プログラム。
【手続補正書】
【提出日】平成28年12月19日(2016.12.19)
【手続補正１】
【補正対象書類名】明細書
【補正対象項目名】００１７
【補正方法】変更
【補正の内容】
【００１７】
もう一つは、電力線１７０が商用電源から切り離され、商用電源から電力の供給を受けずに、発電システム１２０によって発電された電力、及び／又は、蓄電システム１３０に蓄えられた電力を宅内に供給する自立モードである。自立モードでは、ＨＥＭＳコントローラ１００は、エネルギーマネジメントシステム１全体の消費電力量（以下、消費される電力量の意。）を抑え、出来るだけ長時間、機器１６０等をユーザが使用できるように、機器１６０の利用可能な機能を制限する。詳しくは後述する。
【手続補正２】
【補正対象書類名】明細書
【補正対象項目名】０１１２
【補正方法】変更
【補正の内容】
【０１１２】
あるいは、余剰電力量（以下、余剰となる電力量の意。）が閾値より大きい（余剰電力量が比較的多い）場合には、制御部２０５は、起動直後における消費電力量が多い第１の機器を起動させる。一方、余剰電力量が閾値以下である（余剰電力量が比較的少ない）場合には、制御部２０５は、起動直後における消費電力量が少ない第２の機器を起動させる。
【手続補正３】
【補正対象書類名】特許請求の範囲
【補正対象項目名】全文
【補正方法】変更
【補正の内容】
【特許請求の範囲】
【請求項１】
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
コントローラ。
【請求項２】
ユーザと前記ユーザから入力された時刻とを対応付ける複数のスケジュールと、前記ユーザと前記ユーザによって使用される部屋とを対応付ける部屋−ユーザ対応付けテーブルと、前記部屋と前記部屋に設置される機器とを対応付ける機器−部屋対応付けテーブルと、を記憶する記憶部と、
前記部屋−ユーザ対応付けテーブルに基づいて、前記スケジュールによって示される前記ユーザに対応付けられる部屋を判別し、前記機器−部屋対応付けテーブルに基づいて、前記判別された部屋に対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
コントローラ。
【請求項３】
ユーザと前記ユーザから入力された時刻とを対応付ける複数のスケジュールを記憶する記憶部と、
前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させ、
前記記憶部は、前記機器による消費電力の特性を示すデータを更に記憶し、
前記制御部は、前記余剰電力が発生すると、前記余剰電力が発生した時点における前記判別された機器による過去の消費される電力量の時間変化率が負の値をとる場合に、前記機器の制御を前記早められた時刻において前記機器に開始させる、
コントローラ。
【請求項４】
前記記憶部は、前記機器による消費電力の特性を示すデータを更に記憶し、
前記制御部は、前記余剰電力が発生すると、前記判別された機器による消費電力の特性に基づいて、前記時刻を早めるスケジュールを決定する、
請求項１又は２に記載のコントローラ。
【請求項５】
前記記憶部は、前記機器による消費電力の特性を示すデータを更に記憶し、
前記制御部は、前記余剰電力が発生すると、前記余剰電力が発生した時点における前記判別された機器による過去の消費される電力量の時間変化率が負の値をとる場合に、前記機器の制御を前記早められた時刻において前記機器に開始させる、
請求項１、２、４のいずれか１項に記載のコントローラ。
【請求項６】
前記制御部は、前記余剰電力が発生すると、前記機器による消費電力の特性に基づいて、前記スケジュールの優先度を計算し、前記スケジュールのうち前記優先度が最も高いスケジュールの時刻を早める、
請求項３又は４に記載のコントローラ。
【請求項７】
前記制御部は、起動直後に消費される電力量が大きい特性を持つ機器のスケジュールの時刻を早める、
請求項３又は４に記載のコントローラ。
【請求項８】
前記制御部は、前記余剰電力が発生すると、前記機器を制御することにより得られる環境への効果の持続度に基づいて、前記スケジュールの優先度を計算し、前記スケジュールのうち前記優先度が最も高いスケジュールの時刻を早める、
請求項１から３のいずれか１項に記載のコントローラ。
【請求項９】
前記制御部は、前記余剰電力が発生すると、前記スケジュールが開始される時刻から終了される時刻までの時間の長さと、前記スケジュールに対応付けられるユーザの数と、前記判別された機器の数と、のうち少なくともいずれか一つに基づいて、前記スケジュールの優先度を計算し、前記スケジュールのうち前記優先度が最も高いスケジュールの時刻を早める、
請求項１から３のいずれか１項に記載のコントローラ。
【請求項１０】
前記制御部は、前記余剰電力が発生すると、前記余剰電力が発生した時刻から前記スケジュールが開始される時刻までの時間の長さに基づいて、前記スケジュールの優先度を計算し、前記スケジュールのうち前記優先度が最も高いスケジュールの時刻を早める、
請求項１から３のいずれか１項に記載のコントローラ。
【請求項１１】
前記機器の動作のモードは複数あり、
前記特性は、第１のモードから第２のモードへ移行する際の消費される電力量の推移を表し、
前記制御部は、前記余剰電力が発生すると、前記余剰電力の量と、前記特性が示す消費される電力量の推移と、に基づいて、前記スケジュールの優先度を計算し、前記スケジュールのうち前記優先度が最も高いスケジュールの時刻を早める、
請求項３又は４に記載のコントローラ。
【請求項１２】
前記制御部は、前記余剰電力が発生すると、前記余剰電力の発生の継続時間を推測し、前記推測された継続時間が閾値より大きい場合に、前記許可グループに分類されるスケジュールの時刻を早める、
請求項１から３のいずれか１項に記載のコントローラ。
【請求項１３】
前記制御部は、前記余剰電力が発生すると、前記機器の過去の動作履歴に基づいて、前記ユーザの嗜好を推測し、前記推測された嗜好に基づいて、前記許可グループに分類されるスケジュールの時刻を早める、
請求項１から３のいずれか１項に記載のコントローラ。
【請求項１４】
前記制御部は、前記余剰電力が発生すると、前記ユーザから入力された前記機器の設定値と、前記余剰電力が発生したときにおける前記機器の設定値と、の比較結果に基づいて、前記許可グループに分類されるスケジュールの時刻を早める、
請求項１から３のいずれか１項に記載のコントローラ。
【請求項１５】
前記制御部は、前記余剰電力が発生し、蓄電システムに空き容量がある場合、前記余剰電力を前記蓄電システムに蓄えさせ、前記蓄電システムの空き容量が無くなると、前記記憶されているスケジュールのうち、前記許可グループに分類されるスケジュールの時刻を早める、
請求項１から１３のいずれか１項に記載のコントローラ。
【請求項１６】
前記機器は、前記機器の能力が制限される省エネルギーモードを有し、
前記制御部は、前記機器が前記省エネルギーモードに設定されている場合、前記スケジュールの時刻を早める代わりに、前記省エネルギーモードの設定を解除する、
請求項１から１４のいずれか１項に記載のコントローラ。
【請求項１７】
コントローラと複数の機器とを有するエネルギーマネジメントシステムであって、
ユーザと前記ユーザから入力された時刻とを対応付ける複数のスケジュールを記憶する記憶部と、
前記複数の機器の中から、前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメントシステム。
【請求項１８】
コントローラと複数の機器とを有するエネルギーマネジメントシステムであって、
ユーザと前記ユーザから入力された時刻とを対応付ける複数のスケジュールと、前記ユーザと前記ユーザによって使用される部屋とを対応付ける部屋−ユーザ対応付けテーブルと、前記部屋と前記部屋に設置される機器とを対応付ける機器−部屋対応付けテーブルと、を記憶する記憶部と、
前記部屋−ユーザ対応付けテーブルに基づいて、前記複数の機器の中から、前記スケジュールによって示される前記ユーザに対応付けられる部屋を判別し、前記機器−部屋対応付けテーブルに基づいて、前記判別された部屋に対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメントシステム。
【請求項１９】
コントローラと複数の機器とを有するエネルギーマネジメントシステムであって、
ユーザと前記ユーザから入力された時刻とを対応付ける複数のスケジュールを記憶する記憶部と、
前記複数の機器の中から、前記スケジュールによって示される前記ユーザに対応付けられる機器を判別する判別部と、
前記スケジュールに対応付けられる時刻に前記判別された機器を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させ、
前記記憶部は、前記機器による消費電力の特性を示すデータを更に記憶し、
前記制御部は、前記余剰電力が発生すると、前記余剰電力が発生した時点における前記判別された機器による過去の消費される電力量の時間変化率が負の値をとる場合に、前記機器の制御を前記早められた時刻において前記機器に開始させる、
エネルギーマネジメントシステム。
【請求項２０】
ユーザから入力された時刻と動作とを対応付ける複数のスケジュールを記憶する記憶部と、
前記スケジュールに対応付けられる時刻に、前記スケジュールに対応付けられる動作を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記動作の制御を前記早められた時刻において開始する、
電力機器。
【請求項２１】
ユーザと前記ユーザから入力された時刻とを対応付ける複数のスケジュールと、前記ユーザと前記ユーザによって使用される部屋とを対応付ける部屋−ユーザ対応付けテーブルと、前記部屋と動作とを対応付ける動作−部屋対応付けテーブルと、を記憶する記憶部と、
前記部屋−ユーザ対応付けテーブルに基づいて、前記スケジュールによって示される前記ユーザに対応付けられる部屋を判別し、前記動作−部屋対応付けテーブルに基づいて、前記判別された部屋に対応付けられる動作を判別し、前記スケジュールに対応付けられる時刻に、前記判別された動作を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された動作の制御を前記早められた時刻において開始する、
電力機器。
【請求項２２】
ユーザから入力された時刻と動作とを対応付ける複数のスケジュールを記憶する記憶部と、
前記スケジュールに対応付けられる時刻に、前記スケジュールに対応付けられる動作を制御する制御部と、
を備え、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記動作の制御を前記早められた時刻において開始し、
前記記憶部は、前記動作による消費電力の特性を示すデータを更に記憶し、
前記制御部は、前記余剰電力が発生すると、前記余剰電力が発生した時点における前記動作による過去の消費される電力量の時間変化率が負の値をとる場合に、前記動作の制御を前記早められた時刻において開始する、
電力機器。
【請求項２３】
ユーザと前記ユーザから入力された時刻とを対応付ける複数のスケジュールを記憶する記憶部を参照し、前記スケジュールによって示される前記ユーザに対応付けられる機器を判別する判別ステップと、
前記スケジュールに対応付けられる時刻に前記判別された機器を制御する制御ステップと、
を備え、
前記制御ステップでは、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメント方法。
【請求項２４】
ユーザと前記ユーザから入力された時刻とを対応付ける複数のスケジュールと、前記ユーザと前記ユーザによって使用される部屋とを対応付ける部屋−ユーザ対応付けテーブルと、前記部屋と前記部屋に設置される機器とを対応付ける機器−部屋対応付けテーブルと、を記憶する記憶部を参照し、前記部屋−ユーザ対応付けテーブルに基づいて、前記スケジュールによって示される前記ユーザに対応付けられる部屋を判別し、前記機器−部屋対応付けテーブルに基づいて、前記判別された部屋に対応付けられる機器を判別する判別ステップと、
前記スケジュールに対応付けられる時刻に前記判別された機器を制御する制御ステップと、
を備え、
前記制御ステップでは、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
エネルギーマネジメント方法。
【請求項２５】
ユーザと前記ユーザから入力された時刻とを対応付ける複数のスケジュールを記憶する記憶部を参照し、前記スケジュールによって示される前記ユーザに対応付けられる機器を判別する判別ステップと、
前記スケジュールに対応付けられる時刻に前記判別された機器を制御する制御ステップと、
を備え、
前記制御ステップでは、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させ、
前記記憶部は、前記機器による消費電力の特性を示すデータを更に記憶しており、
前記余剰電力が発生すると、前記制御ステップにおいて、前記余剰電力が発生した時点における前記判別された機器による過去の消費される電力量の時間変化率が負の値をとると判別された場合に、前記機器の制御を前記早められた時刻において前記機器に開始させる、
エネルギーマネジメント方法。
【請求項２６】
コンピュータを、
ユーザと前記ユーザから入力された時刻とを対応付ける複数のスケジュールを記憶する記憶部を参照し、前記スケジュールによって示される前記ユーザに対応付けられる機器を判別する判別部、
前記スケジュールに対応付けられる時刻に前記判別された機器を制御する制御部、
として機能させ、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
プログラム。
【請求項２７】
コンピュータを、
ユーザと前記ユーザから入力された時刻とを対応付ける複数のスケジュールと、前記ユーザと前記ユーザによって使用される部屋とを対応付ける部屋−ユーザ対応付けテーブルと、前記部屋と前記部屋に設置される機器とを対応付ける機器−部屋対応付けテーブルと、を記憶する記憶部を参照し、前記部屋−ユーザ対応付けテーブルに基づいて、前記スケジュールによって示される前記ユーザに対応付けられる部屋を判別し、前記機器−部屋対応付けテーブルに基づいて、前記判別された部屋に対応付けられる機器を判別する判別部、
前記スケジュールに対応付けられる時刻に前記判別された機器を制御する制御部、
として機能させ、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させる、
プログラム。
【請求項２８】
コンピュータを、
ユーザと前記ユーザから入力された時刻とを対応付ける複数のスケジュールを記憶する記憶部を参照し、前記スケジュールによって示される前記ユーザに対応付けられる機器を判別する判別部、
前記スケジュールに対応付けられる時刻に前記判別された機器を制御する制御部、
として機能させ、
前記制御部は、余剰電力が発生すると、前記記憶されているスケジュールのうち、前記余剰電力の発生後、予め設定された時間内に前記時刻が設定されているスケジュールを前記時刻を早めることが許可された許可グループに分類し、前記許可グループに分類されるスケジュールの時刻を早め、前記判別された機器の制御を前記早められた時刻において前記機器に開始させ、
前記記憶部は、前記機器による消費電力の特性を示すデータを更に記憶しており、
前記制御部は、前記余剰電力が発生すると、前記余剰電力が発生した時点における前記判別された機器による過去の消費される電力量の時間変化率が負の値をとる場合に、前記機器の制御を前記早められた時刻において前記機器に開始させる、
プログラム。
【国際調査報告】
2015072029.tif 000022
2015072029.tif 000023
2015072029.tif 000024
2015072029.tif 000025